【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
ファイヤウォールによって分離される、グローバルな転送ネットワークと通信ネットワークのプライベート・ドメインとの間の境界で、リアルタイム通信を行うための電気通信装置であって、
前記グローバルな転送ネットワークと前記プライベート・ドメインとの間の通信プロトコル用のプロキシと、
前記通信プロトコルによって開始されるリアルタイム・トラフィックが前記ファイヤウォールを通過することを許可する手段であって、前記リアルタイム・トラフィックの通過が前記ファイヤウォールの典型的なトラフィックのパスと平行である、手段と、
前記プロキシが、電話番号またはグローバルな転送ネットワークのアドレスを、グローバル・ネットワークから直接介入できないプライベート・ドメインにおけるエンドポイントまたは別のプロキシのプライベートなアドレスに変換するために使用する、レジストリまたは、データベース・ルックアップであって、変換後、前記プロキシが、通過のパスの前記プライベート・ドメインにおける前記アドレスに、前記プライベート・ドメインにおける前記エンドポイントまたは別のプロキシのリアルタイム・トラフィックを送るように、前記プライベート・ドメインにおける前記エンドポイントまたは別のプロキシに知らせるために、プロトコルのメッセージを、前記プライベート・ドメインにおける前記エンドポイントまたは前記別のプロキシに送る、レジストリまたは、データベース・ルックアップと、
前記トラフィックが前記ファイヤウォールを通過する時に、前記トラフィックに関する価値情報を、前記グローバルな転送ネットワークを通じて測定および収集する手段と、
前記トラフィックの通過に関する測定および収集が、前記測定および収集が通信参加者によって信頼されるか検証し、前記通信参加者が、トラフィックの通過を許可されるかを検証し、前記トラフィックに関する価値情報は、前記電気通信装置によって測定および収集され得る、検証する手段と、
を備える、電気通信装置。
【請求項２】
グローバルな転送ネットワークと通信ネットワークのプライベート・ドメインとの間の境界で、リアルタイム通信を行うための電気通信装置であって、
前記グローバルな転送ネットワークと前記プライベート・ドメインとの間の通信プロトコル用のプロキシと、
前記グローバルな転送ネットワークと前記プライベート・ドメインとの間のファイヤウォールを通過するリアルタイム・トラフィック用のパスを開口するためのインターフェースであって、前記リアルタイム・トラフィックの通過が前記ファイヤウォールの典型的なトラフィックのパスと平行であり、通過するトラフィックに関する価値情報を収集するためのインターフェースと、
前記インターフェースを使用して、前記通信プロトコルが開始するリアルタイム・トラフィックが、前記ファイヤウォールを通過する手段と、
前記プロキシが、電話番号またはグローバルな転送ネットワークのアドレスを、グローバル・ネットワークから直接介入できないプライベート・ドメインにおけるエンドポイントまたは別のプロキシのプライベートなアドレスに変換するために使用する、レジストリまたは、データベース・ルックアップであって、変換後、前記プロキシが、通過のパスの前記プライベート・ドメインにおける前記アドレスに、前記プライベート・ドメインにおける前記エンドポイントまたは別のプロキシのリアルタイム・トラフィックを送るように、前記プライベート・ドメインにおける前記エンドポイントまたは別のプロキシに知らせるために、プロトコルのメッセージを、前記プライベート・ドメインにおける前記エンドポイントまたは前記別のプロキシに送る、レジストリまたは、データベース・ルックアップと、
前記トラフィックが前記ファイヤウォールを通過する時に、前記トラフィックに関する価値情報を、前記グローバルな転送ネットワークを通じて測定および収集するために前記インターフェースを使用する手段と、
前記トラフィックの通過に関する測定および収集が、前記測定および収集が通信参加者によって信頼されるか検証し、前記通信参加者が、トラフィックの通過を許可されるかを検証し、前記トラフィックに関する価値情報は、前記電気通信装置によって測定および収集され得る、検証する手段と、
を備える、電気通信装置。
【請求項３】
請求項１に記載の電気通信装置であって、プログラムを実行するプロセッサをさらに備え、前記プログラムは、
サービス・プロバイダからの認証リクエストに応答することと、
サービス・プロバイダからの検証リクエストに応答することと、
前記電気通信装置が通信参加者によって信頼されるか検証し、前記通信参加者が前記電気通信装置によって信頼されるか検証することと、
通信参加者からの認証リクエストに応答することと、
前記電気通信装置と通信参加者との間にグローバルな相互信頼を形成することと、
通信参加者に特徴の使用を許可することと、
２通信参加者間のリアルタイム・トラフィックをルーティングすることと、
ユーザ・フィードバックを収集することと、
票を収集することと、
サービス・プロバイダが監視するために使用可能な呼詳細情報をコンパイルすることと、
サービス・プロバイダが課金するために使用可能な呼詳細情報をコンパイルすることと、
呼詳細情報を作成し、提供するための前記プログラムを検証することと、
呼詳細情報を提供することと、
保護プロトコルを使用して、前記呼詳細情報を前記グローバルな転送ネットワークで提供することと、
前記呼詳細情報を前記転送ネットワークサービス・プロバイダとは異なる相手に提供することと、
前記呼詳細情報を複数の相手に提供することと、
電話番号を前記グローバルな転送ネットワークのアドレスに変換することと、
第１の形のアドレスを前記グローバルな転送ネットワークのアドレスに変換することと、
外部のデータベース・ルックアップによってグローバルな転送ネットワークのアドレスを読み出すことと、
ＥＮＵＭルックアップによって、前記グローバルな転送ネットワークのアドレスを読み出すことと、
アドレスを変換するために外部データベースを使用する許可を求める認証リクエストに応答することと、
通話を前記グローバルな転送ネットワークで宛先にルーティングすることと、
電気通信装置のユーザが加入するサービスに基づいてトラフィックを分類することと、
使用するプロトコルに基づいてトラフィックを分類することと、
使用するインターフェースに基づいてトラフィックを分類することと、
発信者が使用するアドレスに基づいてトラフィックを分類することと、
発信者が使用するポートに基づいてトラフィックを分類することと、
トラフィック・チャンネルが設定される順番に基づいてトラフィックを分類することと、
トラフィック・チャンネルが設定される数に基づいてトラフィックを分類することと、
通信参加者のＩＤに基づいてトラフィックを分類することと、
受信するデータパケットの品質マーキングに基づいてトラフィックを分類することと、
優先データパケットを別データパケットよりも前にキューに配置することによって、トラフィックを優先することと、
データパケットをマーキングして、トラフィックを優先することと、
特定のプロトコルを選択することによって、トラフィックを優先することと、
帯域幅を確保することによって、トラフィックを優先することと、
特定のネットワークを選択することによって、トラフィックを優先することと、
特定のサブネットを選択することによって、トラフィックを優先することと、
特定のネットワーク・インターフェースを選択することによって、トラフィックを優先することと、
ユーザの現在の位置を登録することと、
ＰＢＸのサービスを提供することと、
位置情報を緊急通話またはメッセージに追加することと、
緊急通話またはメッセージの位置情報を送信することと、
盗聴するために通話を傍受することと、
解釈するためにメッセージを傍受することと、
からなる群から選択される機能を実施する、電気通信装置。
【請求項４】
請求項３に記載の電気通信装置であって、前記呼詳細情報を提供するために使用される前記保護プロトコルは、
ＴＲ−０６９（広帯域フォーラム規格）と、
ダイアメータ（ＩＥＴＦ標準）と、
ＳＦＴＰ（保護ファイル転送プロトコル）。
からなる群から選択される、電気通信装置。
【請求項５】
請求項３に記載の電気通信装置であって、前記認証は、
共有の秘密と、
パスワードと、
認証と、
チップカードと、
ＳＩＭカードと、
一意識別子と、
ＭＡＣアドレスと、
ＩＰアドレスと
の群から選択される信憑性の証明に基づく、電気通信装置。
【請求項６】
請求項３に記載の電気通信装置であって、通信ネットワークの前記プライベート・ドメインに配置され、前記グローバルな転送ネットワークはファイヤウォールのパスを通じて到達される、電気通信装置。
【請求項７】
請求項６に記載の電気通信装置であって、前記ファイヤウォールの前記パスはキープアライブ・パケットによって前記ファイヤウォールに開口したまま維持される、電気通信装置。
【請求項８】
請求項７に記載の電気通信装置であって、通信ネットワークの前記プライベート・ドメインでの前記電気通信装置とユーザ端末との間で前記キープアライブ・パケットの頻度を減らすことを備える、電気通信装置。
【請求項９】
請求項３に記載の電気通信装置であって、複数のグローバルな転送ネットワークに接続するための複数のＷＡＮインターフェースをさらに備え、前記グローバルな転送ネットワークの少なくとも１つは異なる品質レベルをさらに有する、電気通信装置。
【請求項１０】
請求項９に記載の電気通信装置であって、通信ネットワークの前記プライベート・ドメイン上のリアルタイム通信が、インターネットに接続するＷＡＮインターフェース、または高品質グローバルな転送ネットワークに接続するＷＡＮインターフェースのいずれかを介してルーティングされることができる、電気通信装置。
【請求項１１】
請求項３に記載の電気通信装置であって、通信ネットワークの前記プライベート・ドメインを前記グローバルな転送ネットワークの不要なトラフィックから保護するファイヤウォールをさらに備える、電気通信装置。
【請求項１２】
請求項３に記載の電気通信装置であって、
ＤＳＬモデムと、
ケーブル・モデムと、
ＧＰＯＮモデムと、
イーサネットルータと、
光ファイバルータと、
ＭＰＬＳルータと
Ｔ１ルータと、
からなる群から選択される前記グローバルな転送ネットワークに接続するためのアクセスモデムをさらに備える、電気通信装置。
【請求項１３】
請求項３に記載の電気通信装置であって、
ＳＩＰサーバと、
ＳＩＰレジスタと、
ＰＢＸと、
プレゼンスサーバと、
通話およびメッセージ・ポリシー・ハンドラと、
からなる群から選択されるサーバをさらに備える、電気通信装置。
【請求項１４】
請求項３に記載の電気通信装置であって、第２のネットワークと通信するゲートウェイをさらに備え、前記ゲートウェイは前記第２のネットワークに前記電気通信装置と互換性を持たせる、電気通信装置。
【請求項１５】
請求項１４に記載の電気通信装置であって、前記第２のネットワークは公衆交換電話網である、電気通信装置。
【請求項１６】
請求項３に記載の電気通信装置であって、前記電気通信装置と直接互換性がない通信ネットワークの前記プライベート・ドメイン上で第２の装置と通信するゲートウェイをさらに備える、電気通信装置。
【請求項１７】
請求項１６に記載の電気通信装置であって、前記第２の装置は、
電話と、
ＰＢＸと、
前記公衆交換電話網用装置と、
プロトコルＨ．３２３を使用する装置と、
プロトコルＭＧＣＰを使用する装置と、
前記電気通信装置が使用しないプロトコルを使用する装置と、
からなる群から選択される、電気通信装置。
【請求項１８】
前記電気通信装置の前記機能を実装する、請求項１に記載の前記電気通信装置に内蔵されるソフトウェア・モジュール。
【請求項１９】
前記電気通信装置の前記機能を実装する、請求項２に記載の前記電気通信装置に内蔵されるソフトウェア・モジュール。
【請求項２０】
前記電気通信装置の前記機能を実装する、請求項３に記載の前記電気通信装置に内蔵されるソフトウェア・モジュール。
【請求項２１】
請求項１に記載の電気通信装置を２個以上含む、グローバルな転送ネットワークの通信システム。
【請求項２２】
請求項２に記載の電気通信装置を２個以上含む、グローバルな転送ネットワークの通信システム。
【請求項２３】
請求項３に記載の電気通信装置を２個以上含む、グローバルな転送ネットワークの通信システム。
【請求項２４】
サービスのために使用される請求項２３のシステムであって、前記サービスは、
電話通話と、
ビデオ会議通話と、
ウェブブラウザ通話と、
テキスト・メッセージと、
ピクチャ・メッセージと、
音声メッセージと、
映像メッセージと、
ゲーム・アプリケーションと、
またはリアルタイム通信用アプリケーションと、
からなる群から選択される、システム。
【請求項２５】
グローバルな転送ネットワークを通じて課金通信サービスを提供する、請求項１に記載の前記電気通信装置を使用するビジネス・モデルであって、前記電気通信装置の手段によって特徴の使用が許可される、ビジネス・モデル。
【請求項２６】
グローバルな転送ネットワークを通じて課金通信サービスを提供する、請求項２に記載の前記電気通信装置を使用するビジネス・モデルであって、前記電気通信装置の手段によって特徴の使用が許可される、ビジネス・モデル。
【請求項２７】
グローバルな転送ネットワークを通じて課金通信サービスを提供する、請求項３に記載の前記電気通信装置を使用するビジネス・モデルであって、前記電気通信装置の手段によって特徴の使用が許可される、ビジネス・モデル。
【請求項２８】
請求項２７に記載のビジネス・モデルであって、前記課金通信サービスは、
前記グローバルな転送ネットワークへのアクセスと、
テキスト・メッセージ送信と、
ピクチャ・メッセージ送信と、
音声メッセージ送信と、
映像メッセージ送信と、
リアルタイム通信と、
音声通信と、
映像通信と、
からなる群から選択される、ビジネス・モデル。
【請求項２９】
請求項２３のシステムであって、通信サービスの通信セッションを開始するユーザは、前記通話セッションを受諾する第２のユーザの分まで課金されえる、システム。
【請求項３０】
請求項２９のシステムであって、前記第２のユーザは、前記通信セッションの前記受諾に対する前記課金に影響を与えることができる、システム。
【請求項３１】
請求項２９のシステムであって、プログラムを実行するためのプロセッサを備える電気通信装置を備え、前記プログラムが実施する機能は、
前記受諾を完了する前に、前記通信セッションの前記受諾の前記課金に関する情報をデータベースから読み出すことと、
前記通信セッションの前記受諾に対する前記課金に関する情報を、前記受諾を完了する前に前記通信セッションを開始する前記ユーザに転送することと、
前記通信セッションのアドレスと、前記受諾を完了する前に前記通信セッションの前記受諾の前記課金とに関する情報をデータベースから読み出すことと、
からなる群から選択される、システム。
【請求項３２】
請求項２７に記載のビジネス・モデルであって、前記課金通信からの前記収入は、
通信セッションに対する課金を、前記セッションが開始された前記サービス・プロバイダと、前記セッションを受諾した第２のサービス・プロバイダとの間で分担することと、
通信セッションの受諾に対して加入者が影響を受ける課金からのサービス・プロバイダの収入を、前記課金に影響を与え、前記セッションを受託した前記加入者と分担することと、
通信セッションの受諾に対する課金からのサービス・プロバイダの収入は、前記セッションを受諾する前記加入者と分担することと、
サービス・プロバイダの収入を、前記課金を発生した前記加入者と分担することと、
からなる群から選択される共有モデルに基づいて共有される、ビジネス・モデル。
【請求項３３】
請求項２３のシステムであって、電気通信装置の管理システムはまた、前記電気通信装置の前記グローバルな転送ネットワークに対する前記アクセスを制御する、システム。
【請求項３４】
請求項３３のシステムであって、前記管理システムは前記電気通信装置を認証して、前記電気通信装置の前記グローバルな転送ネットワークに対するアクセスを許可する、システム。
【請求項３５】
請求項３３のシステムであって、前記管理システムは前記電気通信装置の機能を検証して、前記電気通信装置の前記グローバルな転送ネットワーク使用を許可する、システム。
【請求項３６】
グローバルな転送ネットワークと通信ネットワークのプライベート・ドメインとの間の境界にある電気通信装置であって、
リアルタイム・トラフィックを使用して、前記グローバルな転送ネットワークを介して到達可能な第２のエンドポイントと通信する、前記プライベート・ドメインの第１のエンドポイントであって、 前記第１のエンドポイントは、意図されるリアルタイム通信に対する第１のプロトコルと、ファイヤウォールを通過するための第２のプロトコルとを使用し、前記リアルタイム・トラフィックは前記第１のプロトコルによって開始される、第１のエンドポイント、および、
意図されるリアルタイム通信に対する第１のプロトコルと、ファイヤウォールを通過するための第２のプロトコルとを使用する前記第２のエンドポイントであって、前記リアルタイム・トラフィックは前記第１のプロトコルによって開始される、前記第２のエンドポイントを備え、
前記電気通信装置は、前記第２のプロトコルのための、前記プライベート・ドメインと接続するレスポンダ、および、前記グローバルな転送ネットワークと前記プライベート・ドメインとの間のトラバーサを備え、
前記レスポンダは、前記グローバルな転送ネットワークと前記プライベート・ドメインとの間のリアルタイム・トラフィックのための前記トラバーサを通過するパスを設定し、前記グローバルな転送ネットワークの前記パスの前記アドレスの前記第１のエンドポイントを通知し、
前記第２のエンドポイントは、前記第２のプロトコルによって特定された時、リアルタイム・トラフィックを、前記グローバルな転送ネットワークの前記パスの前記アドレスに送り、
前記トラバーサは、前記グローバルな転送ネットワークと、通信ネットワークの前記プライベート・ドメインとの間の典型的なファイヤウォール・ロケーションと平行である、電気通信装置。
【請求項３７】
請求項３６に記載の電気通信装置であって、前記第１のプロトコルはＳＩＰ、ＷｅｂＲＴＣまたは別のリアルタイムの信号プロトコルであり、前記第２のプロトコルはＳＴＵＮ、ＴＵＲＮ、ＩＣＥまたはその他のＮＡＴを通過するプロトコルの組み合わせである、電気通信装置。
【請求項３８】
請求項３６に記載の電気通信装置であって、プログラムを実行するプロセッサをさらに備え、前記プログラムは、
サービス・プロバイダからの認証リクエストに応答することと、
サービス・プロバイダからの検証リクエストに応答することと、
通信参加者を認証することと、
通信参加者からの認証リクエストに応答することと、
前記電気通信装置が通信参加者によって信頼されうるか、および、前記通信参加者が前記通信装置によって信頼されうるかを検証することと、
通信参加者に特徴の使用を許可することと、
２通信参加者間のリアルタイム・トラフィックをルーティングすることと、
ユーザ・フィードバックを収集することと、
票を収集することと、
サービス・プロバイダが監視するために使用可能な呼詳細情報をコンパイルすることと、
サービス・プロバイダが課金するために使用可能な呼詳細情報をコンパイルすることと、
呼詳細情報を作成し、提供するためのプログラムを検証することと、
呼詳細情報を提供することと、
保護プロトコルを使用して、前記呼詳細情報を前記グローバルな転送ネットワークで提供することと、
前記呼詳細情報を前記転送ネットワークサービス・プロバイダとは異なる相手に提供することと、
前記呼詳細情報を複数の相手に提供することと、
電話番号を前記グローバルな転送ネットワークのアドレスに変換することと、
第１の形のアドレスを前記グローバルな転送ネットワークのアドレスに変換することと、
外部のデータベース・ルックアップによってグローバルな転送ネットワークのアドレスを読み出すことと、
ＥＮＵＭルックアップによって、前記グローバルな転送ネットワークのアドレスを読み出すことと、
アドレスを変換するために外部データベースを使用する許可を求める認証リクエストに応答することと、
通話を前記グローバルな転送ネットワークで宛先にルーティングすることと、
電気通信装置のユーザが加入するサービスに基づいてトラフィックを分類することと、
使用するプロトコルに基づいてトラフィックを分類することと、
使用するインターフェースに基づいてトラフィックを分類することと、
発信者が使用するアドレスに基づいてトラフィックを分類することと、
発信者が使用するポートに基づいてトラフィックを分類することと、
トラフィック・チャンネルが設定される順番に基づいてトラフィックを分類することと、
トラフィック・チャンネルが設定される数に基づいてトラフィックを分類することと、
前記通信参加者のＩＤに基づいてトラフィックを分類することと、
受信するデータパケットの品質マーキングに基づいてトラフィックを分類することと、
優先データパケットを別データパケットよりも前にキューに配置することによって、トラフィックを優先することと、
データパケットをマーキングして、トラフィックを優先することと、
特定のプロトコルを選択することによって、トラフィックを優先することと、
帯域幅を確保することによって、トラフィックを優先することと、
特定のネットワークを選択することによって、トラフィックを優先することと、
特定のサブネットを選択することによって、トラフィックを優先する。
特定のネットワーク・インターフェースを選択することによって、トラフィックを優先することと、
ユーザの現在の位置を登録することと、
ＰＢＸのサービスを提供することと、
位置情報を緊急通話またはメッセージに追加することと、
緊急通話またはメッセージの位置情報を送信することと、
盗聴するために通話を傍受することと、
解釈するためにメッセージを傍受することと、
前記グローバルな転送ネットワークでリアルタイム・トラフィックに関する価値情報を測定および収集することと、
前記電気通信装置が通信参加者によって信頼されうるか、および、前記通信参加者が前記通信装置によって信頼されうるかを検証することと、
信頼が検証された後、相互に信頼している通信参加者による前記電気通信装置の特徴の使用を許可することと、
からなる群から選択される機能を実施する、電気通信装置。
【請求項３９】
請求項３８に記載の前記電気通信装置に内蔵されるソフトウェア・モジュールであって、前記電気通信装置の前記機能を実装する、モジュール。
【請求項４０】
請求項３８に記載の電気通信装置を使用する、グローバルな転送ネットワークの通信システム。
【請求項４１】
請求項３８に記載の前記電気通信装置を使用して、グローバルな転送ネットワークを通じて、課金通信サービスを提供する、ビジネス・モデルであって、前記電気通信装置における手段によって、特徴の使用が許可される、ビジネス・モデル。
【請求項４２】
請求項３０のシステムであって、ユーザ端末をさらに備え、前記ユーザ端末はプログラムを実行するためのプロセッサを有し、前記プログラムは、
前記通信セッションの課金を管理することと、
前記通信セッションの課金に関してユーザに通知することと、
前記通信セッションの前記開始者に前記課金が課せられるか否かに関わらず、前記第２のユーザが前記通信セッションを受諾することを許可することと、
前記通信セッションの受諾に対する前記課金が、前記通信セッションを開始する前記ユーザに課せられる場合は、前記通信セッションを開始する前記ユーザが前記通信セッションを取り消すことを許可することと、
前記グローバルな転送ネットワークを介する通信セッションの品質レベルを選択することと、
前記通信セッションに対する前記課金を前記通信セッション中に、前記ユーザに通知することと、
ユーザがトラフィックの課金または品質レベルを通信セッション中に変更することを許可することと、
前記通信セッションの測定または経験品質に基づいて、課金または品質レベルを適応することと、
通信サービスの使用に対して、前記ユーザが支払わねばならない最大課金を前もって設定することと、
前もって設定した課金に到達すると、通信サービスの使用を終了することと、
前記ユーザがある期間、支払わねばならない最大課金を前もって設定することと、
ある期間の前もって設定した課金に到達した後に、さらに課金を課すことになる、残りの期間の通信セッションを禁止することと、
前記ユーザが通信セッションを拒絶すべきかを前もって選択することを許可し、前記第２のユーザによって課金が課せられることも、または前記第２のユーザによって課金が課せられないことも許可することと、
ファイヤウォールを通るパスを開いたままにするキープアライブ・パケットの頻度を減らすことと、
からなる群から選択される機能を実施する、システム。
【請求項４３】
請求項３６に記載の電気通信装置であって、前記第１のプロトコルは、前記第１のエンドポイントと前記第２のエンドポイントの間で暗号化される、電気通信装置。
【手続補正２】
【補正対象書類名】明細書
【補正対象項目名】０１５４
【補正方法】変更
【補正の内容】
【０１５４】
ただし、電気通信装置１０４のレスポンダ１２１は、インターフェースを介してプライベート・ドメインへと、ファイヤウォールを通過するための、ＳＴＵＮおよびＴＵＲＮなどの個別のプロトコルを解釈し、実行することができる。これらのプロトコルは、特定のサーバをグローバルな転送ネットワーク上で使用して、ファイヤウォール１１２を通過することを目的とする。ファイヤウォールは、通常は、これらのプロトコルに気付かず、信号プロトコルの開始にも気付かない。レスポンダ１２１は、ファイヤウォールを通過するための個別のプロトコルに作用するため、電気通信装置１０４を使用するときにこれらのプロトコルは必要となるため、グローバルな転送ネットワークに対する特定のサーバ、例えばＴＵＲＮサーバは必要ではない。
【手続補正３】
【補正対象書類名】明細書
【補正対象項目名】０１５７
【補正方法】変更
【補正の内容】
【０１５７】
電気通信装置１０４はまた、本電気通信装置のその他の実施形態で使用されてもよい信号プロトコルにおいて利用可能な認証方法を使用する代わりに、個別のプロトコルにおいて、ファイヤウォールを通過するための方法を使用する、通信エンドポイント１０９を証明することができる。図７ｂは、図７ａから推測され、グローバルな転送ネットワークを経由して到達可能な別のエンドポイント１０９Ｂで、ＴＵＲＮプロトコルを使用して設定されているＴＵＲＮサーバ１１８ｂを介して、ファイヤウォール１１２を介してリアルタイムなトラフィック１４０を交換するエンドポイント１０９を示している。他のエンドポイント１０９ｂが別のプライベートドメインまたはグローバルな転送ネットワーク上にあってもよい。図７ｃは、また、図７ａから推測され、電気通信装置１０４の具体化におけるレスポンダ１２１が、トラバーサー１２２を通じてグローバルな転送ネットワークとプライベートドメインとの間のリアルタイムトラフィックのパス１４２を開始するために、エンドポイント１０９によって信号が伝達される方法を示し、グローバルな転送ネットワークの前記パスのアドレスの前記エンドポイント１０９を知らせるために、信号を伝達する方法を示しており、エンドポイント１０９によって別のエンドポイント１０９ｂへと通過される。図７ｄはまた、図７ａから推測され、さらに別の実施形態における電気通信装置１０４が、ファイヤウォール１１２と組み合わされる方法を示し、これにより、トラフィック１１３，１１４は、データおよびリアルタイム型の両方となることができ、図７ｃの外部ファイアウォール１１２は置き換えることができる。
【手続補正４】
【補正対象書類名】明細書
【補正対象項目名】０１５８
【補正方法】変更
【補正の内容】
【０１５８】
図３は電気通信装置を示す。図７ａの電気通信装置１０４の機能および特徴は、電気通信装置のその他の前述した機能および特徴と組み合わされる。このような組み合わせはまた、機能モジュール２００を含む。機能モジュール２００は、前述し、図４に示す１または複数の機能を実施するためのプログラムを備える。
【手続補正５】
【補正対象書類名】図面
【補正対象項目名】図７
【補正方法】変更
【補正の内容】
【図７】
2015507901.tif 000001